(57)【要約】【課題】投影角を精度良く設定できる広角プロジェクタを提供する。【解決手段】筐体１は、鏡筒２の全部又は一部を内部に収納している。鏡筒２は、広角の投射用レンズ４を内部に収納している。投射用レンズ４は、この投射用レンズに転送されてきた画像を拡大して外部に投射する。第１支持脚７は、筐体１の底面であって、かつ、鏡筒２の下方となる位置に配置されている。また、第１支持脚７は、筐体１が配置される設置面に当接して筐体１を支持する。第１支持脚７は、筐体１のゆがみを低く抑えつつ、この筐体１を支持することができる。【選択図】図２
2008116774.tif 000002
【特許請求の範囲】
【請求項１】
筐体と鏡筒と第１支持脚とを備えており、
前記筐体は、前記鏡筒の全部又は一部を内部に収納しており、
前記鏡筒は、広角の投射用レンズを内部に収納しており、
前記投射用レンズは、この投射用レンズに転送されてきた画像を拡大して外部に投射する構成となっており、
前記第１支持脚は、前記筐体の底面であって、かつ、前記鏡筒の下方となる位置に配置されており、
かつ、前記第１支持脚は、前記筐体が配置される設置面上において前記筐体を支持する構成となっている
ことを特徴とする広角プロジェクタ。
【請求項２】
さらに第２支持脚を備えており、
前記第２支持脚は、前記筐体の底面であって、前記第１支持脚から離間した位置に配置されており、
かつ、前記第２支持脚は、前記筐体が配置される設置面上において前記筐体を支持する構成となっており、
かつ、前記設置面に対する前記第２支持脚の高さは調整可能とされており、
さらに、前記第２支持脚の高さを調整した場合には、前記筐体は、前記第１支持脚を支点として前記筐体の傾斜角度を変化させる構成となっている
ことを特徴とする請求項１に記載の広角プロジェクタ。
【請求項３】
さらに第３支持脚を備えており、
前記第３支持脚は、前記筐体の底面であって、前記第１及び第２支持脚から離間した位置に配置されており、
かつ、前記第３支持脚は、前記筐体が配置される設置面上において前記筐体を支持する構成となっており
かつ、前記設置面に対する前記第３支持脚の高さは調整可能とされており
さらに、前記第３支持脚の高さを調整した場合にも、前記筐体は、前記第１支持脚を支点として前記筐体の傾斜角度を変化させる構成となっている
ことを特徴とする請求項２に記載の広角プロジェクタ。
【請求項４】
前記第１支持脚は、前記投射用レンズにおける光軸の直下に配置されていることを特徴とする請求項１〜３のいずれか１項に記載の広角プロジェクタ。
【請求項５】
前記設置面に対する前記第１支持脚の高さは調整可能とされている
ことを特徴とする、請求項１〜４のいずれか１項に記載の広角プロジェクタ。
【請求項６】
前記第１支持脚は、前記筐体に対して上下動可能となっており、
かつ、前記鏡筒には、前記第１支持脚が上昇したときにその上端側を収納する凹所が形成されており、
かつ、前記第１支持脚の上昇ストロークは、前記鏡筒内での光路を遮らない範囲に設定されている、
ことを特徴とする請求項５に記載の広角プロジェクタ。
【請求項７】
前記凹所の内部には、前記鏡筒内において前記投射用レンズが配置されている空間と、前記第１支持脚が収納される空間とを実質的に気密状態に仕切る仕切り壁が配置されていることを特徴とする、請求項６に記載の広角プロジェクタ。
【請求項８】
前記投射用レンズは、投射面側から順に、第１及び第２レンズ群を備えており
前記第１支持脚の上端側は、さらに、前記投射用レンズにおける前記第１レンズ群を構成する単レンズどうしの間において上下動可能となっている
ことを特徴とする請求項６又は７に記載の広角プロジェクタ。
【請求項９】
前記投射用レンズは、投射面側から順に、第１及び第２レンズ群を備えており、
前記第１レンズ群を構成するレンズのうち少なくとも一枚には、光軸から下側の位置において、切り欠きが形成されており、
前記第１支持脚の上端側は、さらに、前記切り欠きの内部において上下動可能となっている
ことを特徴とする請求項６又は７に記載の広角プロジェクタ。
【請求項１０】
前記筐体を水平に上下動させることによって前記筐体全体の高さを調整する高さ調整手段をさらに備えることを特徴とする、請求項１〜９のいずれか１項に記載の広角プロジェクタ。
【請求項１１】
さらに、前記第１支持脚は、前記鏡筒の最大幅の内側となる位置に配置されている、請求項１〜１０のいずれか１項に記載の広角プロジェクタ。
【発明の詳細な説明】
【技術分野】
【０００１】
本発明は、画角が比較的に大きいプロジェクタ、すなわち広角プロジェクタに関するものである。
【背景技術】
【０００２】
広角プロジェクタは、プロジェクタと投射面（スクリーン）とを接近させることができるという利点を持つ。このため、家庭内や会議室内などの狭い空間でも、比較的大きな投影画像を得ることができる。
【０００３】
一方、一般に、可搬型のプロジェクタにおいては、設置面とプロジェクタ本体（すなわち筐体）との傾斜角を変化させることにより、投影方向（投影角）を調整したり、投影画像の台形補正を行ったりしている。設置面と筐体との傾斜角を調整する手段としては、筐体の隅などのように、鏡筒から離れた位置に設置された支持脚の高さを調整するものが提案されている（下記特許文献１〜４参照）。
【０００４】
ところで、プロジェクタの画角を大きくするためには、一般に、投射用レンズ（特に投射面側のレンズ）の径を大きくする必要がある。このため、投射用レンズが重くなる傾向にある。すると、支持脚の高さを調整しても、投射面側のレンズの自重で筐体がゆがみ、投影角がわずかにずれることになる。これを避けるため、筐体の強度を増加させようとすると、筐体の重量が増加したり、構造が複雑になったりするという別の問題を生じてしまう。
【０００５】
広角の投射用レンズにおいては、画角が９０°を超えると、投影角のわずかなずれにより、画像の歪みが大きくなることが知られている。このため、従来の技術では、設置面と筐体との傾斜角度（すなわち投影角）を精度良く設定することが難しいという問題があった。
【特許文献１】特開昭６３−１８３４７９号公報
【特許文献２】特開２０００−２９１３４号公報
【特許文献３】特開２００５−３７４７４号公報
【特許文献４】特開２００６−１４６０７３号公報
【発明の開示】
【発明が解決しようとする課題】
【０００６】
本発明は、このような状況に鑑みてなされたものである。本発明は、投影角を精度良く設定できる広角プロジェクタを提供することを目的としている。
【課題を解決するための手段】
【０００７】
請求項１に係る広角プロジェクタは、筐体と鏡筒と第１支持脚とを備えている。前記筐体は、前記鏡筒の全部又は一部を内部に収納している。前記鏡筒は、広角の投射用レンズを内部に収納している。前記投射用レンズは、この投射用レンズに転送されてきた画像を拡大して外部に投射する構成となっている。前記第１支持脚は、前記筐体の底面であって、かつ、前記鏡筒の下方となる位置に配置されている。また、前記第１支持脚は、前記筐体が配置される設置面上において前記筐体を支持する構成となっている。第１支持脚は、鏡筒の下方となる位置に配置されているので、筐体のゆがみを低く抑えつつ、筐体を支持することができる。したがって、ゆがみに基づく投影角のずれを低く抑えることができる。
【０００８】
請求項２に係る広角プロジェクタは、請求項１に記載のものにおいて、さらに第２支持脚を備えている。前記第２支持脚は、前記筐体の底面であって、前記第１支持脚から離間した位置に配置されている。また、前記第２支持脚は、前記筐体が配置される設置面上において前記筐体を支持する構成となっている。前記設置面に対する前記第２支持脚の高さは調整可能とされている。さらに、前記第２支持脚の高さを調整した場合には、前記筐体は、前記第１支持脚を支点として前記筐体の傾斜角度を変化させる構成となっている。筐体の傾斜角度を変化させることによって、投影角を調整することができる。第１支持脚を支点として、筐体を支持することにより、筐体のゆがみを低く抑えることができる。
【０００９】
請求項３に係る広角プロジェクタは、請求項２に記載のものにおいて、さらに第３支持脚を備えている。前記第３支持脚は、前記筐体の底面であって、前記第１及び第２支持脚から離間した位置に配置されている。また、前記第３支持脚は、前記筐体が配置される設置面上において前記筐体を支持する構成となっている。前記設置面に対する前記第３支持脚の高さは調整可能とされている。さらに、前記第３支持脚の高さを調整した場合にも、前記筐体は、前記第１支持脚を支点として前記筐体の傾斜角度を変化させる構成となっている。第３支持脚の高さを調整することにより、筐体の方向又は傾斜角度の設定範囲を広げることができる。また、設置面に対して、筐体を３点で支持する構成とすれば、設置された状態時における筐体のがたつきを低くさえることができる。
【００１０】
請求項４に係る広角プロジェクタは、請求項１〜３のいずれか１項に記載のものにおいて、前記第１支持脚が、前記投射用レンズにおける光軸の直下に配置されているものである。この場合は、投射用レンズの重さを第１支持脚によって一層確実に支持することができるので、筐体のゆがみを一層低く抑えることが可能になる。
【００１１】
請求項５に係る広角プロジェクタは、請求項１〜４のいずれか１項に記載の広角プロジェクタにおいて、前記設置面に対する前記第１支持脚の高さを調整可能としている。このプロジェクタでは、第１支持脚の高さを調整することにより、投射角を調整することができる。
【００１２】
請求項６に係る広角プロジェクタは、請求項５に記載の広角プロジェクタにおいて、前記第１支持脚が、前記筐体に対して上下動可能となっている。また、前記鏡筒には、前記第１支持脚が上昇したときにその上端側を収納する凹所が形成されている。ここで凹所とは、穴であることも可能である。前記第１支持脚の上昇ストロークは、前記鏡筒内での光路を遮らない範囲に設定されている。第１支持脚を凹所に収納できるために、プロジェクタの外形を小さくすることが容易になる。
【００１３】
請求項７に係る広角プロジェクタは、請求項６に記載のものにおいて、前記凹所の内部に、前記鏡筒内において前記投射用レンズが配置されている空間と、前記第１支持脚が収納される空間とを実質的に気密状態に仕切る仕切り壁を配置している。これにより、鏡筒内に異物（例えばほこりなど）が侵入することを防止することができる。
【００１４】
請求項８に係る広角プロジェクタは、請求項６又は７に記載のものにおいて、前記投射用レンズが、投射面側から順に、第１及び第２レンズ群を備えたものとなっている。前記第１支持脚の上端側は、さらに、前記投射用レンズにおける前記第１レンズ群を構成する単レンズどうしの間において上下動可能となっている。
【００１５】
請求項９に係る広角プロジェクタは、請求項６又は７に記載のものにおいて、前記投射用レンズが、投射面側から順に、第１及び第２レンズ群を備えたものとなっている。前記第１レンズ群を構成するレンズのうち少なくとも一枚には、光軸から下側の位置において、切り欠きが形成されている。前記第１支持脚の上端側は、さらに、前記切り欠きの内部において上下動可能となっている。
【００１６】
請求項１０に係る広角プロジェクタは、請求項１〜９のいずれか１項に記載のものにおいて、前記筐体を水平に上下動させることによって前記筐体全体の高さを調整する高さ調整手段をさらに備える構成となっている。
【００１７】
請求項１１に係る広角プロジェクタは、請求項１〜１０のいずれか１項に記載のものにおいて、さらに、前記第１支持脚が、前記鏡筒の最大幅の内側となる位置に配置されているものである。
【発明の効果】
【００１８】
本発明によれば、筐体のゆがみを低く抑えることができるので、投影角を精度良く設定できる広角プロジェクタを提供することが可能となる。
【発明を実施するための最良の形態】
【００１９】
（第１実施形態の構成）
本発明の第１実施形態に係る光学系を用いた広角プロジェクタを、図１〜図３に基づいて説明する。
【００２０】
本実施形態に係る広角プロジェクタは、筐体１と、鏡筒２と、照明系３と、広角の投射用レンズ４と、第１〜第３の支持脚７〜９とを備えている。
【００２１】
筐体１は、鏡筒２のほぼ全体と、照明系３とをその内部に収納している。筐体１は、広角プロジェクタの外形を画する本体となる部分である。筐体１の材質としては、鏡筒２や照明系３を内部に保持できる程度の剛性を有するものが好ましい。例えば、この材質としては、アルミニウム合金やステンレスなどの金属、あるいは、比較的硬質な合成樹脂とすることが可能である。もちろん、材質はこれらに限定されない。また、筐体１としては、照明系３から発する熱を放散しやすい材料ないし構造とすることが好ましい。
【００２２】
鏡筒２は、投射用レンズ４を内部に収納している。投射用レンズ４は、照明系３からこの投射用レンズ４に転送されてきた画像を拡大して外部（たとえばスクリーン）に投射する構成となっている。
【００２３】
より詳しくは、本実施形態の投射用レンズ４は、第１〜第３レンズ群４１〜４３から構成されている。すなわち、本実施形態の投射用レンズ４は、３群構成となっている。ただし、２群又は４群以上の構成とすることも可能である。第１レンズ群４１と第２レンズ群４２との間には、絞り４４が設けられている。また、本実施形態の投射用レンズ４においては、絞り４４よりも前方（投射面側）においては、光線が、光軸４５の近傍か、又は、それよりも上部側を通過するように構成されている。このような投射用レンズ４としては、従来と同様のものを用いることができるので、これ以上詳しい説明を省略する。
【００２４】
画角が９０°以上である広角投射用レンズ、特に、近距離から大画面を投影するため、画角が１００°を超えるような広角投射用レンズでは、投影面に近いレンズが大きくなり、重くなる。光源にLEDなどの半導体光源を用いた場合、この広角投射用レンズが最も重い部品となる。
【００２５】
照明系３は、光源３１と、光転送用の光学系３２とを備えており、プリズム部６にＲＧＢ３色の光線を供給できるようになっている。
【００２６】
プリズム部６は、照明系３からの光線をＤＭＤ素子５に送り、かつ、ＤＭＤ素子５で反射された光線を投射用レンズ４に送ることができるように構成されている。
【００２７】
ＤＭＤ素子５は、照明系３からの光線を反射することで、投影されるべき画像を生成する部分である。
【００２８】
以上の照明系３、プリズム部６及びＤＭＤ素子５の構成としては、基本的に既存の技術を用いることができるので、これ以上詳しい説明は省略する。
【００２９】
第１支持脚７は、筐体１の底面であって、鏡筒２の下方となる位置に配置されている。（図１及び図２参照）。より詳しくは、第１支持脚７は、鏡筒２の最大幅Ｌ（図１参照）の内側となる位置に配置されている。さらに、第１支持脚７は、筐体１が配置される設置面１０（図２参照）に当接して、設置面１０上において筐体１を支持する構成となっている。
【００３０】
第２支持脚８は、筐体１の底面であって、第１支持脚７から離間した位置に配置されている（図１及び図２参照）。第２支持脚８は、筐体１が配置される設置面１０に当接して、設置面１０上において筐体１を支持する構成となっている。
【００３１】
また、第２支持脚８の高さは調整可能とされている。具体的には、第２支持脚には、ねじ部８１が形成されている。ねじ部８１は、筐体１の底面に配置されたナット１１にねじ込まれている。ねじ部８１のねじ込み量を調整することにより、設置面１０を基準とした第２支持脚８の高さ（つまり、第２支持脚８で支持される筐体の高さ）を調整できるようになっている。
【００３２】
また、本実施形態では、第２支持脚８の高さを調整した場合には、筐体１は、第１支持脚７を支点として筐体１の傾斜角度を変化させる構成となっている。
【００３３】
第３支持脚９は、筐体１の底面であって、第１及び第２支持脚７及び８から離間した位置に配置されている。第３支持脚９は、筐体１が配置される設置面１０に当接して、設置面１０上において筐体１を支持する構成となっている。
【００３４】
第３支持脚９の高さは、第２支持脚８と同様の構造により、調整可能とされている。すなわち、ナット１２に対するねじ部９１のねじ込み量を調整することにより、第３支持脚９の高さを調整できるようになっている。また、第３支持脚９の高さを調整した場合にも、筐体１は、第１支持脚７を支点として筐体１の傾斜角度を変化させる構成となっている。
【００３５】
なお、第２支持脚８と第３支持脚９とは、基本的に同じ構成となっているので、図２においては、その一方のみを示し、他方については、対応する符号を括弧付きで付した。
【００３６】
（ブロック図の説明）
つぎに、図３を用いて、本実施形態に係る広角プロジェクタを動作させるための制御部を構成する機能ブロックを説明する。ここで示す機能ブロックも、基本的には従来と同様でよいので、以下ではその概略のみ説明する。
【００３７】
制御部は、基本的には筐体１内に収納されるものである（図１においては図示省略）。制御部は、映像信号入力手段１０１と、画像処理部１０２と、ＤＭＤ素子ドライブ部１０３と、光源制御回路１０４と、ＣＰＵ１０５とを備えている。
【００３８】
映像信号入力手段１０１は、パーソナルコンピュータやテレビジョンチューナなどの映像信号出力手段から映像信号を受け取るものである。
【００３９】
画像処理部１０２は、受け取った映像信号に基づいて、ＤＭＤ素子ドライブ部１０３を駆動するための信号を生成する部分である。ＤＭＤ素子ドライブ部１０３は、画像処理部１０２からの信号に基づいてＤＭＤ素子５を駆動する。
【００４０】
一方、光源制御回路１０４は、入力手段１０６により入力されたＯＮ／ＯＦＦ信号に基づいて光源をＯＮ／ＯＦＦさせるとともに光源点灯に必要な電圧や電力を供給するものである。
【００４１】
（第１実施形態の動作）
第１実施形態の広角プロジェクタにおいては、照明系３、ＤＭＤ素子５及びミラー部６を用いて、投射用レンズ４に、投射すべき画像を送ることができる。投射用レンズ４は、投射すべき画像を拡大して、スクリーンに向けて画像を投射することができる。ここまでの動作は従来の広角プロジェクタと同様である。
【００４２】
本実施形態の第１支持脚７は、筐体１の底面であって、鏡筒２の下方となる位置に配置されている。支持脚を、筐体の隅などのように、鏡筒から離れた位置に設置した場合には、広角プロジェクタのように投射用レンズが大型化している場合には、その重さによって筐体がゆがんでしまうことがある。筐体がゆがむと、投影角がわずかにずれることになる。これに対して、本実施形態では、第１支持脚７を、筐体１の底面であって、鏡筒２の下方となる位置に配置したので、投射用レンズ４の自重を第１支持脚７で確実に支持しつつ、筐体１のゆがみを低減させることができるという利点がある。これにより、投影角のずれを低減させることが可能になり、意図した方向への投射が容易となる。
【００４３】
また、本実施形態では、第２支持脚８及び第３支持脚９の高さを調整すると、筐体１の傾斜角度は、第１支持脚７を支点として変化する。ここで、筐体１は、第１支持脚７により、前記したとおり、ゆがみを起こさないように支持されている。このため、本実施形態の広角プロジェクタによれば、投影方向の変更を容易とすることが可能となる。
【００４４】
（第２実施形態）
つぎに、本発明の第２実施形態に係る広角プロジェクタを、図４に基づいて説明する。第１実施形態の広角プロジェクタにおいては、第１支持脚７を、筐体１の底面であって、鏡筒２の下方となる位置に配置した。第２実施形態の広角プロジェクタにおいては、第１支持脚７を、投射用レンズ４における光軸４５の直下に配置するものとした（図４参照）。
【００４５】
第２実施形態の広角プロジェクタによれば、光軸４５の直下に第１支持脚７を配置することにより、投射用レンズ４の自重をより確実に支持することができ、筐体１のゆがみを低減させることが可能となるという利点がある。
【００４６】
（第３実施形態）
つぎに、本発明の第３実施形態に係る広角プロジェクタを、図５及び図６に基づいて説明する。第３実施形態に係る広角プロジェクタの説明においては、前記した第１実施形態のものと基本的に共通する構成については、同一符号を用いることで、説明を簡略化する。
【００４７】
第１実施形態の広角プロジェクタにおいては、第１支持脚７の高さを不変とした。これに対して、第３実施形態の広角プロジェクタにおいては、高さが調整可能である第１支持脚３７を用いている。
【００４８】
より詳しくは、第１支持脚３７は、前記した第２及び第３支持脚８及び９と同様に、ねじ部３７１を備えている。このねじ部３７１は、筐体１の下部に取り付けられたナット１３にねじ込まれている。
【００４９】
第３実施形態の広角プロジェクタによれば、ねじ部３７１のねじ込み量を調整することにより、第１支持脚３７の高さ（つまり、第１支持脚で支持される筐体１の高さ）を調整することができる。すると、投射用レンズ４による投影角を調整することができる。さらに、第２及び第３支持脚８及び９の高さ調整と共に第１支持脚３７の高さ調整を行うことにより、広角プロジェクタ全体の高さを調整できるという利点もある。
【００５０】
また、第３実施形態の鏡筒２には、第１支持脚３７が上昇したときにその上端側を収納する凹所２１が形成されている。第１支持脚３７の上昇ストロークは、鏡筒２の内部での光路（光線）を遮らない範囲に設定されている、本実施形態では、第１支持脚３７の上端を凹所２１の内部に収納可能とすることによって、第１支持脚３７の移動ストロークを長くし、かつ、装置全体の小型化を図ることが可能になる。
【００５１】
さらに、凹所２１の内部には、鏡筒２内において投射用レンズ４が配置されている空間と、第１支持脚３７が収納される空間とを実質的に気密状態に仕切る仕切り壁２２が配置されている。
【００５２】
この構成により、第３実施形態においては、鏡筒２の内部にほこりが侵入することを防止することができるという利点がある。
【００５３】
さらに、第３実施形態においては、第１支持脚３７の上端側が、投射用レンズ４における第１レンズ群４１を構成する単レンズどうしの間において上下動可能となっている（図５及び図６参照）。本実施形態では、この構成を採用したことにより、第１支持脚３７とレンズとの干渉を避けつつ、第１支持脚３７の移動ストロークを増やすことができる。これにより、筐体１の傾斜角度又は高さを調整できる範囲の増加を図ることができる。
【００５４】
なお、図６において領域Ｐは、投影される画像を構成する光線の射出に主に用いられる領域である。
【００５５】
（第４実施形態）
つぎに、本発明の第４実施形態に係る広角プロジェクタを、図７に基づいて説明する。第４実施形態においては、第１及び第２支持脚７及び８が、投射方向において前方側に配置され、第３支持脚９が、投射方向において後方側に配置されている。他の構成は第１実施形態と同様なので詳しい説明を省略する。
【００５６】
第４実施形態の広角プロジェクタにおいても、第２又は第３支持脚８及び９の高さを調整することにより、投影角を調整することができる。また、第４実施形態の広角プロジェクタにおいても、第３実施形態と同様に、第１支持脚の高さを調節可能とすることができる。
【００５７】
（第５実施形態）
つぎに、本発明の第５実施形態に係る広角プロジェクタを、図８に基づいて説明する。なお、本実施形態の説明においては、前記した第３実施形態と共通する構成については、同一符号を付することで、説明を簡略化する。第５実施形態においては、投射用レンズ４の第１レンズ群４１を構成するレンズのうち少なくとも一枚に、光軸から下側の位置において、切り欠き４７が形成されている（図８参照）。第１支持脚３７の上端側は、切り欠き４７の内部において上下動可能となっている。なお、図８においては、仕切り壁２２を省略しているが、これを設けておくことは好ましい。
【００５８】
第５実施形態の広角プロジェクタによれば、レンズ間に第１支持脚３７を通す間隔を形成できない場合でも、切り欠き４７によって、第１支持脚３７の移動ストロークを確保することができるという利点がある。
【００５９】
第５実施形態における他の構成及び利点は、前記した第３実施形態と基本的に同様なので、詳細な説明は省略する。
【００６０】
（第６実施形態）
つぎに、本発明の第６実施形態に係る広角プロジェクタを、図９及び図１０に基づいて説明する。なお、本実施形態の説明においては、前記した第１実施形態と共通する構成については、同一符号を付することで、説明を簡略化する。
【００６１】
第６実施形態においては、第２及び第３支持脚８及び９に代えて、第２及び第３支持脚６８及び６９が用いられている。第２及び第３支持脚６８及び６９の外面には、ねじ部６８１及びねじ部６９１が形成されている。また、第２及び第３支持脚６８及び６９の上端は、筐体１に対して、正逆方向に回動できるように取り付けられている。例えば、ピンやヒンジを用いてこのような取り付けができる。
【００６２】
また、第６実施形態の広角プロジェクタは、昇降機構（高さ調整手段に相当）２００を備えている。昇降機構２００は、下側部材２０１と、上側部材２０２と、リンク機構２０３とを備えている。
【００６３】
下側部材２０１と上側部材２０２とは、この実施形態では、板状に形成されている。また、下側部材２０１は、リンク機構２０３を介して、上側部材２０２に取り付けられている。
【００６４】
リンク機構２０３は、上側部材２０２に対して下側部材２０１を平行状態のまま上下動させ、かつ、任意位置で停止させるように構成されている。このようなリンク機構そのものとしては既存技術を利用できるので詳しい説明は省略する。
【００６５】
上側部材２０２には、貫通穴が形成されており、第２及び第３の支持脚６８及び６９の下端が挿通されている。また、上側部材２０２には、上側部材２０２から脱落せず、かつ回転自在となるように、ナット２０４及び２０５が備えられている。これらのナット２０４及び２０５は、第２及び第３の支持脚６８及び６９にねじ込まれており、これらのナット２０４及び２０５を回転操作することによって、第２及び第３の支持脚６８の高さ（つまり、これらの支持脚で支持される筐体の高さ）を調整する事ができるようになっている。
【００６６】
また、本実施形態では、上側部材２０２の上面が、第１支持脚７の下端が配置される設置面１０となっている。
【００６７】
この第６実施形態の広角プロジェクタによれば、上側部材２０２の上下動により、筐体１を水平に上下動させることによって、筐体１全体の高さを調整することができる。すなわち、この広角プロジェクタによれば、筐体１の高さを、上側部材２０２の上下動により簡単に調整することができる。
【００６８】
第６実施形態における他の構成及び利点は、前記した第１実施形態と基本的に同様なので、これ以上詳細な説明は省略する。
【００６９】
なお、本発明は、上記した実施例に限定されるものではなく、本発明の要旨を逸脱しない範囲内において種々変更を加え得るものである。
【図面の簡単な説明】
【００７０】
【図１】本発明の第１実施形態に係る広角プロジェクタの概略的な横断面図である。
【図２】図１の広角プロジェクタの概略的な縦断面図である。
【図３】図１の広角プロジェクタを制御するための制御部を説明するための概略的なブロック図である。
【図４】本発明の第２実施形態に係る広角プロジェクタを説明するための概略的な説明図であって、広角プロジェクタを底面から見た図である。
【図５】本発明の第３実施形態に係る広角プロジェクタに用いられる鏡筒を光軸方向に沿って切断した状態での概略的な断面図である。
【図６】図５のＡ方向における矢視図である。
【図７】本発明の第４実施形態に係る広角プロジェクタを説明するための概略的な説明図であって、広角プロジェクタを底面から見た図である。
【図８】本発明の第５実施形態に係る広角プロジェクタに用いられる投射用レンズを前方から見た状態での概略的な説明図である。
【図９】本発明の第６実施形態に係る広角プロジェクタを説明するための概略的な説明図であって、広角プロジェクタを底面から見た図である。
【図１０】図９に示すプロジェクタを側面（図９中Ｂ方向）から見た図である。
【符号の説明】
【００７１】
Ｌ  鏡筒の最大幅
１  筐体
１１・１２・１３  ナット
２  鏡筒
２１  凹所
２２  仕切り壁
３  照明系
３１  光源
３２  光学系
４  投射用レンズ
４１  第１レンズ群
４２  第２レンズ群
４３  第３レンズ群
４４  しぼり
４５  光軸
４７  切り欠き
５  ＤＭＤ素子
６  プリズム部
７・３７  第１支持脚
３７１  第１支持脚のねじ部
８・６８  第２支持脚
８１・６８１  第２支持脚のねじ部
９・６９  第３支持脚
９１・６９１  第３支持脚のねじ部
１０  設置面
２００  昇降機構（高さ調整手段）
２０１  下側部材
２０２  上側部材
２０３  リンク機構
２０４・２０５  ナット
【図１】
2008116774.tif 000003
【図２】
2008116774.tif 000004
【図３】
2008116774.tif 000005
【図４】
2008116774.tif 000006
【図５】
2008116774.tif 000007
【図６】
2008116774.tif 000008
【図７】
2008116774.tif 000009
【図８】
2008116774.tif 000010
【図９】
2008116774.tif 000011
【図１０】
2008116774.tif 000012